(57)【特許請求の範囲】
【請求項１】
室内と室外を連通する通風路を形成する筒状の本体部と、
前記本体部の前記通風路の前面開口部を開閉するパネル部を有した換気口において、
前記本体部は、前後方向に移動操作することによって前記パネル部を前後方向の所定の位置に保持する軸部を設けた機構部を有し、
前記パネル部の裏面には、パッキンを貼り付けるとともに、
前記本体部の前面開口部に配設され前記軸部に着脱可能に係合する係合部を有し、
前記係合部は、前記パネルを上下方向にスライドすることによって前記軸部と着脱でき、前記パネル部の前記係合部の下方に、前記パネルを上方向に押し上げて係合部と軸部との嵌合を外した状態で、軸部と接触する軸止め部を備えたことを特徴とする換気口。
【請求項２】
軸止め部の係合部側に、手前側の外方に拡大するような突出部を設けたことを特徴とする請求項１に記載の換気口。
【請求項３】
軸止め部の係合部側に、上方から手前側下方に向かって傾斜する傾斜部を設け、前記傾斜部の最下端のパネル部に対して垂直方向の高さはパッキンの高さより高くしたことを特徴とする請求項１に記載の換気口。
【発明の詳細な説明】
【技術分野】
【０００１】
本発明は、建物の換気を行うために室内側に取り付けられる換気口に関するものである。
【背景技術】
【０００２】
従来の換気口は、特許文献１に記載の室内と室外を連通する通風路を形成する筒状の本体部と、本体部に前後方向に移動操作することによる前後方向の所定の位置に保持する軸部を設けた機構部を有し、本体部の前面開口部に前後方向移動自在に配設され、軸部に着脱可能に係合する係合部を有し、この本体部の前面開口部を開閉するパネル部とを有した換気口が知られていた。
【０００３】
以下、その換気口について図１０および図１１を参照しながら説明する。
【０００４】
図１０および図１１に示すように、室内と室外を連通する通風路１０１を形成する筒状の本体部１０２と、本体部１０２に前後方向に移動操作することによる前後方向の所定の位置に保持する軸部１０３を設けた機構部１０４を有し、本体部１０２の前面開口部１０５に前後方向移動自在に配設され、軸部１０３に着脱可能に係合する係合部１０６を有しこの本体部１０２の前面開口部１０５を開閉するパネル部１０７とパネル部１０７の裏面にパッキン１０８を有していた。
【先行技術文献】
【特許文献】
【０００５】
【特許文献１】特開２００６−２４２４４６号公報
【発明の概要】
【発明が解決しようとする課題】
【０００６】
このような従来の換気口においては、パネル部の裏面には吹雪や台風などの雪や雨、風の強いときに一時的に開口を閉じるときに密閉性を持たせるためや、冬期の冷気流入による結露防止、また、室外から入る騒音の低減のためのパッキンが貼り付けられており、お手入れで本体を掃除したりするときにはパネル部をはずすが、パネル部をはずす動作は、パネル部を上に押し上げて、軸との嵌合をはずす。このときに、パネル部を上に押し上げた勢いでパッキンが軸にあたり、回数を重ねるとパッキンが損傷し、断熱性や吸音性が低下する、という課題を有していた。
【０００７】
そこで本発明は、上記従来の課題を解決するものであり、パネル部を上に押し上げてはずしても断熱性や吸音性が低下することを防止することができる換気口を提供することを目的とする。
【課題を解決するための手段】
【０００８】
そして、この目的を達成するために、本発明は、室内と室外を連通する通風路を形成する筒状の本体部と、前記本体部の前記通風路の前面開口部を開閉するパネル部を有した換気口において、
前記本体部は、前後方向に移動操作することによって前記パネル部を前後方向の所定の位置に保持する軸部を設けた機構部を有し、前記パネル部の裏面には、パッキンを貼り付けるとともに、前記本体部の前面開口部に配設され前記軸部に着脱可能に係合する係合部を有し、前記係合部は、前記パネルを上下方向にスライドすることによって前記軸部と着脱でき、前記パネル部の前記係合部の下方に、前記パネルを上方向に押し上げて係合部と軸部との嵌合を外した状態で、軸部と接触する軸止め部を備えたこととしたものであり、これにより所期の目的を達成するものである。
【発明の効果】
【０００９】
本発明によれば、室内と室外を連通する通風路を形成する筒状の本体部と、前記本体部の前記通風路の前面開口部を開閉するパネル部を有した換気口において、前記本体部は、前後方向に移動操作することによって前記パネル部を前後方向の所定の位置に保持する軸部を設けた機構部を有し、前記パネル部の裏面には、パッキンを貼り付けるとともに、前記本体部の前面開口部に配設され前記軸部に着脱可能に係合する係合部を有し、前記係合部は、前記パネルを上下方向にスライドすることによって前記軸部と着脱でき、前記パネル部の前記係合部の下方に、前記パネルを上方向に押し上げて係合部と軸部との嵌合を外した状態で、軸部と接触する軸止め部を備えた、という構成にしたことにより、お手入れで本体を掃除したりするときにパネル部をはずす動作は、パネル部を上に押し上げて、係合部と軸との嵌合をはずし、軸との嵌合をはずれた位置で軸止め部にあたることでとって上に押し上げた勢いが軸止め部にあたることで止まることとなるので、パネル部を上に押
し上げてはずしてもパッキンが損傷し、断熱性や吸音性が低下することを防止することができる、という効果を得ることができる。
【図面の簡単な説明】
【００１０】
【図１】本発明の実施の形態１の換気口を示す斜視図
【図２】同換気口のパネル部が開いている状態を示す断面図
【図３】同換気口のパネル部が閉じている状態を示す断面図
【図４】同換気口のパネル部の裏側を示す斜視図
【図５】同換気口のパネル部を上に押し上げた状態を示す断面図
【図６】本発明の実施の形態２の換気口のパネル部の裏側を示す斜視図
【図７】同換気口のパネル部の裏側と軸部を示す斜視図
【図８】本発明の実施の形態３の換気口のパネル部の裏側を示す斜視図
【図９】同換気口のパネル部を上に押し上げた状態を示す断面図
【図１０】従来の換気口を示す斜視図
【図１１】同換気口の断面図
【発明を実施するための形態】
【００１１】
本発明の請求項１記載の換気口は、室内と室外を連通する通風路を形成する筒状の本体部と、前記本体部の前記通風路の前面開口部を開閉するパネル部を有した換気口において、前記本体部は、前後方向に移動操作することによって前記パネル部を前後方向の所定の位置に保持する軸部を設けた機構部を有し、前記パネル部の裏面には、パッキンを貼り付けるとともに、前記本体部の前面開口部に配設され前記軸部に着脱可能に係合する係合部を有し、前記係合部は、前記パネルを上下方向にスライドすることによって前記軸部と着脱でき、前記パネル部の前記係合部の下方に、前記パネルを上方向に押し上げて係合部と軸部との嵌合を外した状態で、軸部と接触する軸止め部を備えた、という構成を有する。
【００１２】
これにより、お手入れで本体を掃除したりするときにパネル部をはずす動作は、パネル部を上に押し上げて、係合部と軸との嵌合をはずし、軸との嵌合をはずれた位置で軸止め部にあたることでとって上に押し上げた勢いが軸止め部にあたることで止まることとなるので、パネル部を上に押し上げてはずしてもパッキンが損傷し、断熱性や吸音性が低下することを防止することができるという効果を奏する。
【００１３】
また、軸止め部の係合部側に、手前側の外方に拡大するような突出部を設けた、という構成にしてもよい。
【００１４】
これにより、パネル部を本体部に装着するときに係合部の軸との係合位置を想定して軸部をあわせ、突出部に接触し沿って係合部の係合位置まで導くこととなるので、パネル部を本体に容易に装着することができる、という効果を奏する。
【００１５】
また、軸止め部の係合部側に、上方から手前側下方に向かって傾斜する傾斜部を設け、前記傾斜部の最下端のパネル部に対して垂直方向の高さはパッキンの高さより高くした、という構成にしてもよい。
【００１６】
これにより、パネル部を本体部からはずすときに、軸部が傾斜部に沿って下方に移動し外れることとなるので、パネル部を本体から容易にはずすことができる、という効果を奏する。
【００１７】
以下、本発明の実施の形態について図面を参照しながら説明する。
【００１８】
（実施の形態１）
図１は本発明の実施の形態の換気口を示す斜視図、図２は同換気口のパネル部が開いている状態を示す断面図、図３は同換気口のパネル部が閉じている状態を示す断面図、図４は同換気口のパネル部の軸止め部を示す斜視図、図５は同換気口のパネル部を上に押し上げた状態を示す断面図である。
【００１９】
図１〜図５に示すように、室内と室外を連通する通風路１を形成する筒状の本体部２と、前記本体部２に本体部２の垂直方向である前後方向に移動操作することによる前後方向の後述するパネル部８が本体部２に対して開いている状態あるいは閉じている状態である所定の位置に保持する軸部３を設けた機構部４を有し、前記本体部２の前記室内側である前面開口部５に前後方向に移動自在に配設され前記軸部３に着脱可能に係合する係合部６を有し、この前記本体部２の前面開口部５を開閉する後述する係合部６の周囲を除いた裏面全面にパッキン７を備えたパネル部８とを有した換気口９において、前記パネル部８の前記係合部６の床方向である下方に室内側である手前側に突設した軸止め部１０を備えた構成とする。
【００２０】
上記構成により、パネル部８を室内の天井方向である上に押し上げて、係合部６と軸部３との嵌合をはずし、軸部３との嵌合がはずれた先の位置で軸止め部１０にあたることで上に押し上げて軸止め部１０にあたり、パッキン７に接触することなく止まることとなる。
【００２１】
よって、パネル部８を上に押し上げて回数を重ねて押し上げてはずしても、パッキン７が損傷し、損傷した箇所から断熱性や吸音性が低下することを防止することができることとなる。
【００２２】
（実施の形態２）
図６は本発明の実施の形態の換気口のパネル部の裏側を示す斜視図、図７は同換気口のパネル部の裏側と軸部を示す斜視図である。
【００２３】
図６および図７において、図１〜図５と同様の構成要素については同一の符号を付し、その詳細な説明は省略する。
【００２４】
図６および図７は、軸止め部１０の係合部６側に、手前側の本体部２の正面から見た軸部３の幅より外方に拡大するような突出部１１を設けた構成とする。
【００２５】
上記構成により、パネル部８を本体部２に装着するときに係合部６と軸部３との係合位置を想定して係合部６を軸部３をあわせ、突出部１１に接触し沿って係合部６の係合位置まで導くこととなる。
【００２６】
よって、パネル部８を本体部２に容易に装着することができることとなる。
【００２７】
（実施の形態３）
図８は本発明の実施の形態の換気口のパネル部の裏側を示す斜視図、図９は同換気口のパネル部を上に押し上げた状態を示す断面図である。
【００２８】
図８および図９において、図１〜図７と同様の構成要素については同一の符号を付し、その詳細な説明は省略する。
【００２９】
図８および図９は、軸止め部１０の係合部６側に、上方から手前側の下方に向かって傾斜する傾斜部１２を設け、前記傾斜部１２の最下端のパネル部８に対して垂直方向の高さはパッキン７の厚みである高さより高くした構成とする。
【００３０】
上記構成により、パネル部８を本体部２からはずすときに、軸部３が傾斜部１２に沿って下方の手前側に移動し外れることとなる。
【００３１】
よって、パネル部８を本体部２から容易にはずすことができることとなる。
【産業上の利用可能性】
【００３２】
本発明にかかる換気口は、パッキンが損傷し、断熱性や吸音性が低下することを防止することを可能とするものであるので、室外に設置される外壁端末換気口などとしても有用である。
【符号の説明】
【００３３】
１    通風路
２    本体部
３    軸部
４    機構部
５    前面開口部
６    係合部
７    パッキン
８    パネル部
９    換気口
１０  軸止め部
１１  突出部
１２  傾斜部
【図１】
0006007403.tif 000002
【図２】
0006007403.tif 000003
【図３】
0006007403.tif 000004
【図４】
0006007403.tif 000005
【図５】
0006007403.tif 000006
【図６】
0006007403.tif 000007
【図７】
0006007403.tif 000008
【図８】
0006007403.tif 000009
【図９】
0006007403.tif 000010
【図１０】
0006007403.tif 000011
【図１１】
0006007403.tif 000012